(57)【特許請求の範囲】
【請求項１】
被測定波形を測定した波形データに基づいて、前記波形データ、測定条件、装置本体の情報からなる画像を表示部に表示し、表示される画像を画像データとして記憶部に保存し、記憶部の画像データを読み出して表示部に表示する波形測定装置において、
前記記憶部から読み出された画像データのなかから複数の画像データを選択する選択部と、
この選択部が選択した画像データを前記表示部に同時に表示する表示処理部と
を設け、
前記表示処理部は、
前記画像データのうち前記波形データに識別情報を付加する付加手段と、
この付加手段が付加した識別情報に基づいて、前記選択部が選択した画像データから波形データのみを抽出し、波形を表示する抽出手段と
を有し、
前記抽出手段は、前記選択部によって選択された画像データの波形を常時表示し、選択されなかった画像データの波形を順番に表示していき、前記選択された画像データの波形および選択されなかった画像データの波形を重ね表示することを特徴とする波形測定装置。
【請求項２】
抽出手段は、波形データごとに色または輝度を変更して表示することを特徴とする請求項１記載の波形測定装置。
【請求項３】
抽出手段は、表示された波形データを、再度上書きして表示することを特徴とする請求項１または２記載の波形測定装置。
【請求項４】
抽出手段は、複数の波形データのうち所望の波形データを、時間軸または振幅方向に移動させることを特徴とする請求項１〜３のいずれかに記載の波形測定装置。
【請求項５】
表示処理部は、読み出した画像データを縮小した画像にして表示するサムネイル表示手段を有することを特徴とする請求項１〜４のいずれかに記載の波形測定装置。
【請求項６】
サムネイル表示手段は、前記選択部によって選択された画像データを縮小して常時表示し、選択されなかった画像データを縮小して順番に表示していくことを特徴とする請求項５記載の波形測定装置。
【請求項７】
被測定波形を測定した波形データに基づく画像を表示部に表示し、表示される画像を画像データとして記憶部に保存し、記憶部の画像データを読み出して表示部に表示する波形測定装置において、
前記記憶部から読み出された画像データのなかから複数の画像データを選択する選択部と、
この選択部が選択した画像データを前記表示部に同時に表示する表示処理部と
を設け、
前記表示処理部は、読み出した画像データを縮小した画像にして表示するサムネイル表示手段を有し、
このサムネイル表示手段は、前記選択部によって選択された画像データを縮小して前記表示部の一方の領域に常時表示し、選択されなかった画像データを縮小して順番に前記表示部の他方の領域に表示していくことを特徴とする波形測定装置。
【発明の詳細な説明】
【技術分野】
【０００１】
本発明は、被測定波形を測定した波形データに基づく画像を表示部に表示し、表示される画像を画像データとして記憶部に保存し、記憶部の画像データを読み出して表示部に表示する波形測定装置に関し、詳しくは、記憶部に保存された画像データであっても、波形データの比較を容易に行うことができる波形測定装置に関するものである。
【背景技術】
【０００２】
波形測定装置、例えば、デジタルオシロスコープ、ペーパーレスレコーダ等は、被測定波形を複数回測定し、測定した波形データそれぞれをメモリに格納する。そして、所定の処理を行なった後、波形データを測定したときの測定条件、装置本体の情報等を波形データに組み合わせて、表示部に波形表示する（例えば、特許文献１、特許文献２参照）。
【０００３】
なお、測定条件とは、例えば、測定レンジ、測定チャネル、サンプリング周期、トリガ条件等であり、装置本体の情報とは、例えば、測定した日時、表示している波形データの番号等である。ここで、図９は、表示部の表示例である。図９において、画面中央に表示される波形データ１００のほかに、測定条件、装置本体の情報等も表示されている。なお、横軸は時間であり、縦軸は振幅である。
【０００４】
また、波形測定装置は、表示部の表示画面に表示している画像そのままを画像データに変換して、装置本体の電源がオフされてもデータが消去されないストレージメディア（例えば、装置に内蔵のハードディスク、装置から取り外し可能なハードディスク、ＵＳＢメモリ、フロッピー（登録商標）ディスク等）に画像ファイル（以下、ファイルと略す）として保存する。
【０００５】
そして、ストレージメディアから複数個のファイルを読み出して、ファイルの画像データを表示部に表示させる。さらに、画像データを比較するため、読み出した画像データそれぞれを縮小し、縮小した画像（いわゆるサムネイル）を複数個（例えば、４個、９個等）、同一画面に同時に表示する。ここで、図１０は、表示部の表示画面にサムネイル表示領域１０１を設け、この領域１０１に４個の画像データをサムネイル表示した例である。
【０００６】
【特許文献１】特許第３５６８１０６号公報
【特許文献２】特開２００５−９０９７０号公報
【発明の開示】
【発明が解決しようとする課題】
【０００７】
サムネイル表示では、同一画面に表示される画像は、画像データのファイルを作成した日時の新しい順にソートされて表示される。例えば、図１０では、４個ずつ順にソートして表示されている。このような場合、ソート順で４個以上離れていると、画像を比較することが困難になるという問題があった。また、画像データのファイルが増えるほど、所望の画像データを同一画面に表示できなくなるという問題があった。
【０００８】
さらに、実際に比較したいのは、画像データのうち波形データ同士であるが、表示部に表示される画像そのままの画像データ（つまり、表示画面のハードコピー）には、波形データ以外も表示されており、比較が難しくなるという問題があった。
【０００９】
そこで本発明の目的は、記憶部に保存された画像データであっても、波形データの比較を容易に行うことができる波形測定装置を実現することにある。
【課題を解決するための手段】
【００１０】
請求項１記載の発明は、
被測定波形を測定した波形データに基づいて、前記波形データ、測定条件、装置本体の情報からなる画像を表示部に表示し、表示される画像を画像データとして記憶部に保存し、記憶部の画像データを読み出して表示部に表示する波形測定装置において、
前記記憶部から読み出された画像データのなかから複数の画像データを選択する選択部と、
この選択部が選択した画像データを前記表示部に同時に表示する表示処理部と
を設け、
前記表示処理部は、
前記画像データのうち前記波形データに識別情報を付加する付加手段と、
この付加手段が付加した識別情報に基づいて、前記選択部が選択した画像データから波形データのみを抽出し、波形を表示する抽出手段と
を有し、
前記抽出手段は、前記選択部によって選択された画像データの波形を常時表示し、選択されなかった画像データの波形を順番に表示していき、前記選択された画像データの波形および選択されなかった画像データの波形を重ね表示することを特徴とするものである。
請求項２記載の発明は、請求項１記載の発明において、
抽出手段は、波形データごとに色または輝度を変更して表示することを特徴とするものである。
請求項３記載の発明は、請求項１または２記載の発明において、
抽出手段は、表示された波形データを、再度上書きして表示することを特徴とするものである。
請求項４記載の発明は、請求項１〜３のいずれかに記載の発明において、
抽出手段は、複数の波形データのうち所望の波形データを、時間軸または振幅方向に移動させることを特徴とするものである。
請求項５記載の発明は、請求項１〜４のいずれかに記載の発明において、
表示処理部は、読み出した画像データを縮小した画像にして表示するサムネイル表示手段を有することを特徴とするものである。
請求項６記載の発明は、請求項５記載の発明において、
サムネイル表示手段は、前記選択部によって選択された画像データを縮小して常時表示し、選択されなかった画像データを縮小して順番に表示していくことを特徴とするものである。
請求項７記載の発明は、
被測定波形を測定した波形データに基づく画像を表示部に表示し、表示される画像を画像データとして記憶部に保存し、記憶部の画像データを読み出して表示部に表示する波形測定装置において、
前記記憶部から読み出された画像データのなかから複数の画像データを選択する選択部と、
この選択部が選択した画像データを前記表示部に同時に表示する表示処理部と
を設け、
前記表示処理部は、読み出した画像データを縮小した画像にして表示するサムネイル表示手段を有し、
このサムネイル表示手段は、前記選択部によって選択された画像データを縮小して前記表示部の一方の領域に常時表示し、選択されなかった画像データを縮小して順番に前記表示部の他方の領域に表示していくことを特徴とするものである。
【発明の効果】
【００１１】
本発明によれば、以下のような効果がある。
請求項１〜７によれば、表示処理部が、記憶部から読み出された画像データのうち、選択部によって選択された画像データを表示部に同時に表示するので、所望の画像データ同士の比較が行なえる。従って、記憶部に保存された画像データであっても、波形データを含む画像データの比較を容易に行うことができる。
請求項１〜４によれば、付加手段が、保存する画像データのうち波形データに識別情報を付加し、抽出手段が、付加手段が付加した識別情報に基づいて、選択部によって選択された画像データから波形データのみを抽出し、波形表示する。これにより、前の波形のプロットと、後から上書きした波形のプロットが重なっていない場所は、前にプロットされた波形もそのまま残って表示される。従って、記憶部に保存された画像データであっても、波形を重ねて比較でき、波形データの比較を容易に行うことができる。また、比較に不必要なデータ（測定条件、装置本体の情報等）が表示されないので、波形データの比較を容易に行なうことができる。
請求項５〜７によれば、サムネイル表示手段が、選択部によって選択された画像データのサムネイル表示をカスタマイズし、表示部に同時に表示するので、記憶部に記憶された日時に関係なく、画像データの比較を行なうことができる。これにより、従来のように日時によるソート順では比較できなかった画像データの比較が容易にできる。従って、記憶部に保存された画像データであっても、波形データを含む画像データの比較を容易に行うことができる。
【発明を実施するための最良の形態】
【００１２】
以下図面を用いて本発明の実施の形態を説明する。
［第１の実施例］
図１は、本発明の第１の実施例を示した構成図である。図１において、測定部１０は、被測定波形が入力され、この被測定波形をデジタル信号に変換して波形データとして出力する。メモリ２０は、測定部１０からの波形データを順次格納する。もちろん、複数個の波形データを格納できる。
【００１３】
表示処理部３０は、付加手段３１、抽出手段３２、サムネイル表示手段３３を有し、メモリ２０から波形データを読み出して、測定部１０の測定条件、自機器の装置本体の情報等を波形データに適宜組み合わせ、表示部４０の表示画面に波形を表示する。付加手段３１は、表示部４０に表示される画像の画像データのうち波形データに識別情報を付加する。抽出手段３２は、付加手段３１が付加した識別情報に基づいて、選択部５０が選択した画像データから波形データのみを抽出し、波形データを重ね書きして表示部４０に波形表示する。サムネイル表示手段３３は、読み出した画像データを縮小した画像にして表示部４０にサムネイル表示する
【００１４】
選択部５０は、例えば、装置前面に設けられるタッチパネル、ボタン、ロータリーノブ等であり、表示部４０に表示される画像データの選択をする
【００１５】
ハードディスク（以下、ＨＤと略す）６０は、記憶部であり、装置本体の電源がオフされてもデータが消去されないストレージメディアである。ファイル入出力部７０は、表示処理部３０とＨＤ６０の間に設けられ、ファイルの入出力を行なう。
【００１６】
このような装置の動作を説明する。
まず、被測定波形を測定し、表示部４０に表示する動作を説明する。
測定部１０が、被測定波形を所望の振幅レベルとなるように減衰、増幅を行なってデジタル信号に変換し、トリガ信号ごとに波形データとしてメモリ２０に順次格納する。そして表示処理部３０が、メモリ２０から波形データを読み出し、所定の処理（例えば、アベレージング、波形解析等）を行なう。さらに、表示処理部３０が、測定部１０の測定条件、自機器の装置本体の情報等を波形データに組み合わせ、組み合わせた画像を表示部４０に表示する。
【００１７】
次に、画像データをＨＤ６０に保存し、保存した画像データを表示部４０に再表示する動作を図２を用いて説明する。ユーザが表示部４０の画像を見ながら選択部５０を操作して、保存する画像を選択する（Ｓ１）。
【００１８】
そして、表示処理部３０が、選択部５０からの指示に従って、選択された画像を画像データに変換する。この変換する際に、付加手段３１が、波形データを他のデータ（測定条件、装置本体の情報等）と区別するための識別情報を付加する。例えば、メモリ２０を参照し、作成される画像データのうち波形データだけを区別し、波形データに特定の色情報を付加する。（Ｓ２）。
【００１９】
そして、表示処理部３０が、識別情報の付加された画像データをファイル入出力部７０に出力する。さらに、ファイル入出力部７０が、所定のファイル形式（例えば、ビットマップ形式、ｇｉｆ形式、ｊｐｅｇ形式等）で画像データをファイルにしてＨＤ６０にファイルセーブする（Ｓ３）。
【００２０】
また、ファイル入出力部７０が、ＨＤ６０からファイルを読み出し、ファイルの画像データを表示処理部３０に出力する。例えば、１２個の画像データｇ（１）〜ｇ（１２）を読み出し、表示処理部３０に出力する。なお、画像データｇ（１）のファイルの作成日時が最も新しく、画像データｇ（１２）のファイルが古いものとする。そして、サムネイル表示手段３３が、日時の新しい順に画像データｇ（１）〜ｇ（１２）をサムネイル表示によって、画像の一覧を表示する。ここで、図３は、表示部４０の表示例を示した図である。なお、サムネイル表示される画像データｇ（１）〜ｇ（４）（図３（ａ））をスクロールし、次の画像データｇ（５）〜ｇ（８）（図３（ｂ））や画像データｇ（９）〜ｇ（１２）（図３（ｃ））をサムネイル表示するには、選択部５０のノブ等によって行なう（Ｓ４）。
【００２１】
そして、選択部５０が、画像の比較を行なう画像データ（例えば、画像データｇ（６））の選択を行ない（Ｓ５）、さらに、比較を行なう別の画像データ（例えば、画像データｇ（１１））の選択を行なう（Ｓ６）。そして別の画像を追加選択する場合（Ｓ７）、ステップＳ６を繰り返す。これにより、画像データ（言い換えると、ＨＤ６０から読み出されたファイル）は２個以上選択されたことになる。
【００２２】
そして、選択部５０によって重ね表示が選択されると、抽出手段３２が、ステップＳ５，Ｓ６で選択された画像データｇ（６）、ｇ（１１）から、識別情報に基づいて波形データのみを抽出し（Ｓ８，Ｓ９）、抽出した波形データを、選択された順に上書き表示する。ここで、図４は、重ね表示した表示例を示した図である。波形Ｗ６、Ｗ１１それぞれは、画像データｇ（６）、ｇ（１１）から抽出した波形データの波形である（Ｓ１０）。
【００２３】
一方、選択部５０によって並列表示が選択されると、サムネイル表示手段３３が、ステップＳ５，Ｓ６で選択された画像データｇ（６）、ｇ（１１）を縮小し、サムネイル表示をカスタマイズして、同一画面上に並べて表示する。ここで、図５は、並列表示した表示例を示した図である（Ｓ８，Ｓ１１）。
【００２４】
このように、付加手段３１が、画像データｇ（１）〜ｇ（１２）のうち波形データに識別情報を付加し、抽出手段３２が、付加手段３１が付加した識別情報に基づいて、選択部５０によって選択された画像データｇ（６）、ｇ（１１）から波形データのみを抽出し、波形データを重ね書きして波形表示する。これにより、前の波形Ｗ６のプロットと、後から上書きした波形Ｗ１１のプロットが重なっていない場所は、前にプロットされた波形Ｗ６もそのまま残って表示される。従って、ファイルに保存された画像データｇ（１）〜ｇ（１２）であっても、波形Ｗ６，Ｗ１１を重ねて比較でき、波形データの比較を容易に行うことができる。また、比較に不必要なデータ（測定条件、装置本体の情報等）が表示されないので、波形データの比較を容易に行なうことができる。
【００２５】
そして、サムネイル表示手段３３が、選択部５０によって選択された画像データｇ（６）、ｇ（１１）のサムネイル表示をカスタマイズし、表示部４０に同時に表示するので、ファイルが作成された日時に関係なく、画像データの比較を行なうことができる。これにより、従来のように日時によるソート順では比較できなかった画像データｇ（６）、ｇ（１１）の比較が容易にできる。従って、ファイルに保存された画像データｇ（１）〜ｇ（１２）であっても、波形データを含む画像データの比較を容易に行うことができる。
【００２６】
［第２の実施例］
図６は、本発明の第２の実施例を示した構成図である。ここで、図１と同一のものは同一符号を付し説明を省略する。また、サムネイル表示手段３３の図示も省略する。図６において、抽出手段３２に、再描画手段３２ａ、強調手段３２ｂ、移動手段３２ｃが新たに設けられる。
【００２７】
このような装置の動作を説明する。なお、図１に示す装置と異なる部分を主に説明する。抽出手段３２が、選択された波形を全て上書き表示する。そして、選択部５０によって再描画する波形が選択されると、再描画手段３２ａが、選択された波形データを一番上に上書きして表示４０に再描画する。これにより、上書きによって一部が見えなくまたは見にくくなった波形が、再描画され、波形の全体を視認することができる。
【００２８】
また、抽出手段３２が、選択された波形を上書き表示する際に、強調手段３２ｂが、波形データごとに色や輝度等を変更させ、各波形を強調するようにして抽出手段３２に波形表示させる。これにより、各波形を識別し易くなり、比較を容易に行なうことできる。
【００２９】
また、抽出手段３２が、選択された波形を全て上書き表示する。そして、選択部５０によって波形が選択されて上下左右への移動が指示されると、移動手段３２ｃが、移動の指示に従って波形データを上下左右に移動させて表示部４０に再描画する。これにより、仮に波形同士が、画面上で離れた位置にプロットされていても、所望の位置に波形を再表示することができ、比較を容易に行なうことができる。また、逆に、波形同士が重なり比較がしにくくても、所望の位置に波形を再表示することができ、比較を容易に行なうことができる。なお、左右方向とは、時間軸（横軸）方向であり、上下方向とは振幅（縦軸）方向である。
【００３０】
なお、本発明はこれに限定されるものではなく、以下に示すようなものでもよい。
抽出手段３２が、選択部５０によって選択された画像データｇ（６）、ｇ（１１）の波形Ｗ６，Ｗ１１のみを表示部４０に重ね表示する構成を示したが、抽出手段３２は、選択された波形データの波形Ｗ６，Ｗ１１は常時表示し、その他の波形データの波形を順次表示するようにしてもよい。例えば、選択部５０のノブを操作することによって、抽出手段３２は、選択されなかった画像データｇ（１）〜ｇ（５）、ｇ（７）〜ｇ（１０）、ｇ（１２）から抽出した波形データをソート順に１個ずつ表示部４０に波形表示してもよい。ここで、図７は、重ね表示したその他の表示例を示した図である。図４と同一のものは同一符号を付し、説明を省略する。波形Ｗ６、Ｗ１１は、リファレンスとして常時表示され、波形Ｗ４（画像データｇ（４）から抽出した波形データの波形）が表示されている。ノブを操作することにより、波形Ｗ４が次の順番の波形データに変更される。これにより、多数の画像データｇ（１）〜ｇ（１２）のものと比較を行なうことができる。なお、この場合、ステップＳ５，Ｓ６で選択部５０によって選択される画像データは、１個でも複数でもよい。
【００３１】
また、サムネイル表示手段３３が、選択部５０によって選択された画像データｇ（６）、ｇ（１１）のみを表示部４０に並列表示する構成を示したが、サムネイル表示手段３３は、選択された画像データｇ（６）、ｇ（１１）は常時サムネイル表示し、その他の画像データを順次サムネイル表示するようにしてもよい。例えば、選択部５０のノブを操作することによって、サムネイル表示手段３３は、選択されなかった画像データｇ（１）〜ｇ（５）、ｇ（７）〜ｇ（１０）、ｇ（１２）をソート順に２個ずつ表示部４０にサムネイル表示するようにカスタマイズしてもよい。ここで、図８は、並列表示したその他の表示例を示した図である。図５と同一のものは同一符号を付し、説明を省略する。画像データｇ（６）、ｇ（１１）は、リファレンスとして上段に常時サムネイル表示され、下段に画像データｇ（１）、ｇ（２）がサムネイル表示されている。ノブを操作することにより、下段の画像データｇ（１）、ｇ（２）が次の画像データｇ（３）、ｇ（４）に変更される。これにより、多数の画像データｇ（１）〜ｇ（１２）のものと比較を行なうことができる。なお、この場合、ステップＳ５，Ｓ６で選択部５０によって選択される画像データは、１個でも複数でもよい。
【００３２】
付加手段３１が、識別情報として波形データに色情報を付加する構成を示したが、どのような識別情報でもよい。
【００３３】
選択部５０が、画像データｇ（６）、ｇ（１１）を選択する構成を示したが、どの画像データｇ（１）〜ｇ（１２）を選んでもよい。
【００３４】
１２個の画像データｇ（１）〜ｇ（１２）をファイルから読み出す構成を示したが、ファイルにして保存し読み出す画像データは、何個でもよい。
【００３５】
記憶部の一例としてＨＤ６０を用いる構成を示したが、その他のストレージメディアでもよい。
【００３６】
さらに、表示処理部３０に付加手段３１、抽出手段３２、サムネイル表示手段３３を一緒に設ける構成を示したが、付加手段３１、抽出手段３２だけを設けてもよい。または、サムネイル表示手段３３だけを設けてもよい。
【図面の簡単な説明】
【００３７】
【図１】本発明の第１の実施例を示した構成図である。
【図２】図１に示す装置の動作を説明した図である。
【図３】表示部４０の表示例を示した図である。
【図４】表示部４０に波形を重ねて表示した例を示した図である。
【図５】表示部４０に並列表示した例を示した図である。
【図６】本発明の第２の実施例を示した構成図である。
【図７】表示部４０に波形を重ねて表示したその他の例を示した図である。
【図８】表示部４０に並列表示したその他の例を示した図である。
【図９】従来の波形測定装置の表示例を示した図である。
【図１０】従来の波形測定装置のその他の表示例を示した図である。
【符号の説明】
【００３８】
３０  表示処理部
３１  付加手段
３２  抽出手段
３２ａ  再描画手段
３２ｂ  強調手段
３２ｃ  移動手段
３３  サムネイル表示手段
４０  表示部
５０  選択部
６０  ＨＤ
【図１】
0004655831.tif 000002
【図２】
0004655831.tif 000003
【図３】
0004655831.tif 000004
【図４】
0004655831.tif 000005
【図５】
0004655831.tif 000006
【図６】
0004655831.tif 000007
【図７】
0004655831.tif 000008
【図８】
0004655831.tif 000009
【図９】
0004655831.tif 000010
【図１０】
0004655831.tif 000011